(57)【要約】【課題】シャフトに巻き付けて貼り付けられたフレキシブル配線基板がシャフトの回転に伴って剥離してしまうことを抑制する。【解決手段】本体１０に対して回転自在に支持される表示ユニット５０を備える撮像装置１００において、表示ユニット５０の回転中心に配置されるシャフト５１にフレキシブル配線基板（ＦＰＣ）５４を両面テープ５５を介して巻き付ける。ＦＰＣ５４は、シャフトに巻き付けられる巻回部５４ｂと、巻回部５４から同方向に延出する本体側配線部５４ａと表示ユニット側配線部５４ｃを有する。両面テープ５５を、巻回部５５ｂを包含し、且つ、本体側配線部５４ａおよび表示ユニット側配線部５４ｃのそれぞれへ所定の長さだけ延出した形状とする。【選択図】図３
2016058439.tif 000002
【特許請求の範囲】
【請求項１】
機器本体と、前記機器本体に対して回転自在に支持される構造体と、を備える電子機器であって、
前記電子機器は、
前記機器本体に支持されて前記構造体の回転中心に配置されるシャフトと、
前記シャフトの外周面に巻き付けられて保持されるフレキシブル配線基板と、
前記フレキシブル配線基板を前記シャフトに巻き付けるために前記フレキシブル配線基板に貼り合わせられる接合部材と、を有し、
前記フレキシブル配線基板は、
前記接合部材を介して前記シャフトに巻き付けられる巻回部と、
前記巻回部から延出し、前記機器本体に接続される第１の配線部と、
前記巻回部から前記第１の配線部が延出する方向と同じ方向に前記第１の配線部と所定の間隔を空けて延出し、前記構造体に接続される第２の配線部と、を有し、
前記接合部材は、前記巻回部を包含し、且つ、前記第１の配線部および前記第２の配線部のそれぞれへ所定の長さだけ延出した形状を有することを特徴とする電子機器。
【請求項２】
前記フレキシブル配線基板の前記巻回部は、
前記第１の配線部と前記第２の配線部とを接続する導体接続部と、
前記第１の配線部、前記第２の配線部および前記導体接続部によって囲まれる領域の少なくとも一部に設けられた、カバーレイを開口させたカバーレイ開口部と、を有することを特徴とする請求項１に記載の電子機器。
【請求項３】
前記フレキシブル配線基板は、前記第１の配線部と前記第２の配線部との間において前記巻回部から前記第１の配線部が延出する方向に突出する舌片部を有し、
前記接合部材は、前記舌片部を包含するように前記フレキシブル配線基板に貼り合わされることを特徴とする請求項１に記載の電子機器。
【請求項４】
前記舌片部の少なくとも一部は、カバーレイを開口させたカバーレイ開口部を有することを特徴とする請求項３に記載の電子機器。
【請求項５】
接合部材が貼り合わされたフレキシブル配線基板であって、
前記フレキシブル配線基板は、
第１の配線部と、
前記第１の配線部と所定の間隔を空けて略平行に配置された第２の配線部と、
前記第１の配線部と前記第２の配線部とを接続する導体接続部を有する接続部と、を有し、
前記接合部材は、前記接続部を包含し、且つ、前記第１の配線部および前記第２の配線部のそれぞれへ所定の長さだけ延出した形状を有することを特徴とするフレキシブル配線基板。
【発明の詳細な説明】
【技術分野】
【０００１】
本発明は、電子機器及びフレキシブル配線基板に関し、特に機器本体に対して回転自在に支持された構造体を有する電子機器において機器本体と構造体とを電気的に接続するフレキシブル配線基板の構成に関する。
【背景技術】
【０００２】
近年、機器本体に対して回転自在に表示パネル等の表示装置が設けられたデジタルカメラが普及しており、その使用者は、表示装置を回転させることによって、機器本体に対して様々な角度から表示装置に表示された被写体等を確認することができる。このように、機器本体に対して回転自在に表示装置等の構造体を支持させることで、利便性を向上させた電子機器の普及が進んでいる。
【０００３】
このような電子機器における機器本体と構造体との電気的接続には、フレキシブル配線基板が広く用いられている。例えば、フレキシブル配線基板を用いた配線形態として、構造体を支持する回転軸に対して、両面テープ等を介してフレキシブル配線基板を巻き付ける構成が知られている（特許文献１参照）。
【０００４】
ここで図７及至図１０を参照して、従来の電子機器の一例としての撮像装置について説明する。図７は、従来の撮像装置２００を正面側から見た外観斜視図である。撮像装置２００は、機器本体１１０（以下「本体１１０」と記す）と、本体１１０の背面に設けられた表示ユニット１５０とを有する。図７（ａ）には表示ユニット１５０が本体１１０の背面側に収納された状態が、図７（ｂ）には表示ユニット１５０の表示画面を本体１１０の正面側に向けた状態がそれぞれ示されている。このように、表示ユニット１５０は、本体１１０に対して回転自在に保持されている。
【０００５】
図８（ａ）は、本体１１０に収納された状態にある表示ユニット１５０の一部を分解した状態を本体１１０の背面側から見た斜視図であり、図８（ｂ）は、図８（ａ）中の矢視Ｄ−Ｄ断面図である。表示ユニット１５０は、シャフト１５１、シャーシ１５２、表示部ケース１５３、フレキシブルプリント配線基板（以下「ＦＰＣ」と呼称する）１５４及び基板１５６を備える。シャーシ１５２には腕部１５２ａ，１５２ｂが形成されており、腕部１５２ａ，１５２ｂは、シャフト１５１に対してスポット溶接等によって接合されている。
【０００６】
本体１１０は、不図示の本体シャーシを備えており、本体シャーシには１対の軸受け１１０ａ（図１０参照）が形成されている。軸受け１１０ａは、シャフト１５１の両端を保持することで本体１１０に対して表示ユニット１５０を回転自在に保持している。また、本体１１０には、シャフト１５１を内部に挿通する挿通部１１０ｂが設けられている。ＦＰＣ１５４は、シャフト１５１に対してその一部を巻回して保持されており、その巻回部分は挿通部１１０ｂを介して本体１１０側と表示ユニット１５０側とに延出している。なお、図８（ｂ）については、後述する。
【０００７】
図９は、ＦＰＣ１５４の展開図（平面図）である。ＦＰＣ１５４は、略コの字型の平面形状を有し、大略的に本体側配線部１５４ａ、巻回部１５４ｂ及び表示ユニット側配線部１５４ｃから構成されている。ＦＰＣ１５４の配線パターンは、本体側配線部１５４ａの先端から巻回部１５４ｂを介して表示ユニット側配線部１５４ｃの先端へと延びている。本体側配線部１５４ａと表示ユニット側配線部１５４ｃの間には、幅Ｗ０の間隔が設けられている。また、巻回部１５４ｂと本体側配線部１５４ａとがつながっている部位の内側と、巻回部１５４ｂと表示ユニット側配線部１５４ｃとがつながっている部位の内側のそれぞれに、内角部１５４ｒ１，１５４ｒ２が形成されている。巻回部１５４ｂには矩形状の両面テープ１５５が貼り合わされており、ＦＰＣ１５４は、両面テープ１５５によって貼り合わされてシャフト１５１に巻き付けられ、シャフト１５１に保持される。
【０００８】
図１０（ａ）は、シャフト１５１にＦＰＣ１５４が巻き付けられた状態を示す斜視図であり、図１０（ｂ）は、図１０（ａ）中の矢視Ｅ−Ｅ断面図である。なお、図１０（ａ）には、表示ユニット５０の表示画面が図７（ａ）のように撮影者側に向いた状態を示している。表示ユニット１５０は、コネクタ１５６ａが実装された基板１５６を有しており、本体１１０は、不図示のコネクタが実装された不図示の基板を有している。ＦＰＣ１５４の巻回部１５４ｂがシャフト１５１に巻き付けられた後に、本体側配線部１５４ａの先端部が本体１１０側のコネクタに接続され、表示ユニット側配線部１５４ｃの先端部がコネクタ１５６ａに接続される。これにより、ＦＰＣ１５４は、本体１１０と表示ユニット１５０とを電気的に接続する。
【先行技術文献】
【特許文献】
【０００９】
【特許文献１】特開２００５−９０７０７号公報
【発明の概要】
【発明が解決しようとする課題】
【００１０】
撮像装置２００では、表示ユニット１５０を本体１１０に対して回転させると、表示ユニット１５０のシャーシ１５２がシャフト１５１に接合されているため、シャフト１５１も表示ユニット１５０の回転動作に連動して回転する。図１０（ａ）に示す姿勢（つまり、図７（ａ）に示す姿勢）の表示ユニット１５０を図１０（ａ）中の矢印Ｔ方向に回転させると、シャフト１５１と、ＦＰＣ１５４の表示ユニット側配線部１５４ｃ及び巻回部１５４ｂも連動して矢印Ｔ方向に回転する。これにより、本体側配線部１５４ａの巻回部１５４ｂに近接する部分はシャフト１５１に巻き付けられる。
【００１１】
一方で、本体１１０側に設けられた不図示のコネクタに接続されている本体側配線部１５４ａの先端部は、シャフト１５１側に引っ張られる。そのため、本体側配線部１５４ａの長さの設定には、巻回部１５４ｂの回転による本体側配線部１５４ａの巻き付き量を考慮する必要がある。そこで、図１０（ｂ）に示すように、本体側配線部１５４ａにおいて、巻回部１５４ｂに近接する側と本体１１０側に設けられた不図示のコネクタに接続されている側との間には、湾曲部１５４ｗが形成されている。
【００１２】
ここで、湾曲部１５４ｗの先端は内角部１５４ｒ１に掛かっており、内角部１５４ｒ１には、ＦＰＣ１５４の湾曲によって両面テープ１５５が巻き付いた状態から剥離する方向に反発力が作用する。また、両面テープ１５５の端面は、巻回部１５４ｂと本体側配線部１５４ａとの境界、及び、巻回部１５４ｂと表示ユニット側配線部１５４ｃとの境界に合わせられている。そのため、巻き付けていたＦＰＣ１５４が湾曲部１５４ｗに作用する反発力によって剥がれてしまうと、本体側配線部１５４ａと表示ユニット側配線部１５４ｃの間の幅Ｗ０の配線部がシャフト１５１から剥がれてしまう可能性がある。
【００１３】
また、図８（ｂ）に二点鎖線で示すＦＰＣ１５４ように、シャフト１５１からＦＰＣ１５４の幅Ｗ０の配線部が剥がれてしまうと、表示ユニット１５０を回転させるときにＦＰＣ１５４が本体１１０の内側表面を擦れながら回転して摺動音を発生させてしまう。更に、剥がれたＦＰＣ１５４が本体１１０の内側に引っ掛かることで、ＦＰＣ１５４が破損してしまう可能性もある。
【００１４】
本発明は、機器本体に対して回転自在な構造体を有する電子機器において、構造体と一体的に回転するシャフトに巻き付けて貼り付けられたフレキシブル配線基板のシャフトの回転に伴う剥離を抑制する技術を提供することを目的とする。
【課題を解決するための手段】
【００１５】
本発明に係る電子機器は、機器本体と、前記機器本体に対して回転自在に支持される構造体と、を備える電子機器であって、前記電子機器は、前記機器本体に支持されて前記構造体の回転中心に配置されるシャフトと、前記シャフトの外周面に巻き付けられて保持されるフレキシブル配線基板と、前記フレキシブル配線基板を前記シャフトに巻き付けるために前記フレキシブル配線基板に貼り合わせられる接合部材と、を有し、前記フレキシブル配線基板は、前記接合部材を介して前記シャフトに巻き付けられる巻回部と、前記巻回部から延出し、前記機器本体に接続される第１の配線部と、前記巻回部から前記第１の配線部が延出する方向と同じ方向に前記第１の配線部と所定の間隔を空けて延出し、前記構造体に接続される第２の配線部と、を有し、前記接合部材は、前記巻回部を包含し、且つ、前記第１の配線部および前記第２の配線部のそれぞれへ所定の長さだけ延出した形状を有することを特徴とする。
【発明の効果】
【００１６】
本発明によれば、機器本体に対して回転自在な構造体と一体的に回転するシャフトに巻き付けて貼り付けられたフレキシブル配線基板のシャフトの回転に伴う剥離を抑制することができる。
【図面の簡単な説明】
【００１７】
【図１】本発明の第１実施形態に係る撮像装置を正面側から見た外観斜視図である。
【図２】図１の撮像装置の機器本体に収納された状態にある表示ユニットの一部を分解して示す背面側斜視図と、矢視Ａ−Ａ断面図である。
【図３】図１の撮像装置が備えるフレキシブル配線基板（ＦＰＣ）の展開図である。
【図４】図１の撮像装置においてＦＰＣが本体と表示ユニットとを電気的に接続している状態を示す斜視図、この斜視図に示す矢視Ｂ−Ｂ断面から見た本体側配線部の破断斜視図及び矢視Ｃ−Ｃ断面から見た表示ユニット側配線部の示す破断斜視図である。
【図５】図３のＦＰＣの第１の変形例に係るＦＰＣの展開図である。
【図６】図３のＦＰＣの第２の変形例に係るＦＰＣの展開図である。
【図７】従来の撮像装置を正面側から見た外観斜視図である。
【図８】図７の撮像装置の機器本体に収納された状態にある表示ユニットの一部を分解して示す背面側斜視図と、この背面側斜視図に示す矢視Ｄ−Ｄ断面図である。
【図９】図７の撮像装置に設けられたＦＰＣの展開図である。
【図１０】図７の撮像装置において、図９のＦＰＣがシャフトに巻き付けられた状態を示す斜視図と、この斜視図に示す矢視Ｅ−Ｅ断面図である。
【発明を実施するための形態】
【００１８】
以下、本発明の実施形態について、添付図面を参照して詳細に説明する。ここでは、本発明に係る電子機器として、撮像機能を備える機器本体と、機器本体に対して回転自在に支持される構造体の一例としての表示ユニットとを備える撮像装置（所謂、デジタルカメラ）を取り上げることとする。但し、本発明に係る電子機器は、これに限定されるものではなく、機器本体と、機器本体に対して回転自在に取り付けられた構造部とを有する電子機器に広く適用することができる。
【００１９】
＜第１実施形態＞
図１は、本発明の第１実施形態に係る撮像装置１００を正面側から見た外観斜視図である。撮像装置１００は、大略的に、機器本体１０（以下「本体１０」と記す）と、本体１０の正面中央部に設けられた鏡筒ユニット３０と、本体１０の背面に設けられた表示ユニット５０とで構成されている。
【００２０】
鏡筒ユニット３０は、内包する不図示の複数のレンズ群を光軸方向に移動させることができる構造を有し、本体１０から突出した撮影位置と、複数のレンズ群を本体１０内部に収容して本体１０内に沈胴した収納位置との間で遷移可能に構成されている。
【００２１】
表示ユニット５０は、ヒンジを介して本体１０に対して回転自在に保持されている。表示ユニット５０は、図２を参照して後述するように、液晶ディスプレイ或いは有機ＥＬディスプレイ等の表示装置を有する。表示装置には、本体１０に内蔵された不図示の撮像素子から出力された撮像信号に基づくライブビュー画像や撮影画像、撮影条件等を表示することができるようになっている。
【００２２】
撮像装置１００は、本体１０に対して表示ユニット５０の回転角度を検出する不図示の姿勢検出センサを備える。図１（ａ）には、表示ユニット５０が本体１０の背面側に収容された状態が示されており、この状態では、表示装置の画面５０ａ（図１（ａ）に不図示）は、本体１０の背面側を向いている。一方、図１（ｂ）には、表示ユニット５０を本体１０に対して回転させて、本体１０の上面から突出させた状態が示されており、この状態では、表示装置の画面５０ａは本体１０の正面側を、つまり、被写体側を向いている。
【００２３】
例えば、撮影者が、表示ユニット５０を回転させて、表示ユニット５０の姿勢を図１（ａ）の状態から図１（ｂ）の状態へと変える。すると、姿勢検出センサが表示ユニット５０の回転を検出し、本体１０に設けられた不図示の制御部（マイコン）が、それまで表示装置の画面５０ａに表示していた画像の上下を反転させる表示制御を行う。これにより、撮影者は、表示装置の画面５０ａに表示されている情報を被写体側から容易に認識することができる。
【００２４】
図２（ａ）は、本体１０に収納された状態にある表示ユニット５０の一部を分解した状態を本体１０の背面側から見た斜視図であり、図２（ｂ）は、図２（ａ）中の矢視Ａ−Ａ断面図である。表示ユニット５０は、シャフト５１、シャーシ５２、表示部ケース５３、フレキシブル配線基板５４（以下「ＦＰＣ５４」と記す）及び基板５６を備える。シャフト５１は、表示ユニット５０の回転中心に配置される。シャーシ５２には腕部５２ａ，５２ｂが形成されており、腕部５２ａ，５２ｂは、スポット溶接等によってシャフト５１に接合されている。
【００２５】
本体１０は、不図示の本体シャーシを備える。本体シャーシには１対の軸受け１０ａ（図４（ａ）参照）が設けられており、軸受け１０ａは、シャフト５１の両端を保持することで、表示ユニット５０を本体１０に対して回転自在に保持している。また、本体１０には、シャフト５１を内部に挿通する挿通部１０ｂが設けられている。挿通部１０ｂは、シャフト５１側に延びるリブ形状を有し、本実施形態では、挿通部１０ｂをシャフト５１側に近接させることによって、本体１０と表示ユニット５０との隙間から本体１０内部を視認し難くしている。
【００２６】
ＦＰＣ５４は、シャフト５１に対してその一部を巻回して保持されており、巻回部分は挿通部１０ｂを介して本体１０側と表示ユニット５０側とに延出している。図３は、ＦＰＣ５４の展開図である。ＦＰＣ５４は、略コの字型の平面形状を有し、大略的に、巻回部５４ｂと、巻回部５４から延出する第１の配線部である本体側配線部５４ａと、巻回部５４ｂから延出する第２の配線部である表示ユニット側配線部５４ｃから構成されている。換言すれば、ＦＰＣ５４は、本体側配線部５４ａと表示ユニット側配線部５４ｃとが所定の間隔を空けて略平行に配置され、巻回部５４が、本体側配線部５４ａと表示ユニット側配線部５４ｃとを接続する接続部としての役割を担っている。ＦＰＣ５４の配線パターンは、巻回部５４ｂに形成される導体接続部５４ｄを介して本体側配線部５４ａの先端から表示ユニット側配線部５４ｃの先端まで延びている。巻回部５４ｂには、接合部材としての略コの字型の平面形状を有する両面テープ５５が貼り合わされている。
【００２７】
本体側配線部５４ａと表示ユニット側配線部５４ｃとの間には、幅Ｗ５の間隔が設けられている。また、巻回部５４ｂと本体側配線部５４ａとがつながっている部位の内側と、巻回部５４ｂと表示ユニット側配線部５４ｃとがつながっている部位の内側のそれぞれに、内角部５４ｒ１，５４ｒ２が形成されている。両面テープ５５は、巻回部５４ｂを包含し、且つ、本体側配線部５４ａ側に長さＬａだけ延出すると共に、表示ユニット側配線部５４ｃ側に長さＬｃだけ延出した形状を有して、ＦＰＣ５４に貼り合わされている。長さＬａ，Ｌｃは、同じ長さであってもよいし、異なる長さであってもよい。ＦＰＣ５４は、１周目は両面テープ５５をシャフト５１の外周面に接着させて巻き付けていき、２周目以降はＦＰＣ５４の表裏面が両面テープ５５を介して接着されることにより、シャフト５１に保持される。
【００２８】
ＦＰＣ５４は、シャフト５１に巻き付けられた後に、本体１０と表示ユニット５０とを電気的に接続する。このとき、ＦＰＣ５４が有する幅Ｗ５の配線部は、挿通部１０ｂと対向する位置に配置され、巻回部５４ｂは表示ユニット５０の回転動作に連動して回転する。そのため、ＦＰＣ５４に形成される幅Ｗ５の配線部は、シャフト５１に対して確実に巻き付けられて保持される必要がある。
【００２９】
図４（ａ）は、シャフト５１に巻き付けられたＦＰＣ５４が本体１０と表示ユニット５０とを電気的に接続している状態を示す斜視図であり、撮像装置１００からＦＰＣ５４、シャフト５１及び表示ユニット５０の一部を抽出して示している。図４（ｂ）は、図４（ａ）中の矢視Ｂ−Ｂ断面から見た本体側配線部５４ａの状態を示す破断斜視図であり、図４（ｃ）は、図４（ａ）中の矢視Ｃ−Ｃ断面から見た表示ユニット側配線部５４ｃの状態を示す破断斜視図である。
【００３０】
表示ユニット５０には、コネクタ５６ａが実装された基板５６が配置されており、表示ユニット側配線部５４ｃの先端部がコネクタ５６ａに接続される。また、本体１０には、不図示のコネクタが実装された不図示の基板が配置されており、本体側配線部５４ａの先端部が、その不図示のコネクタに接続される。こうして、ＦＰＣ５４は、本体１０と表示ユニット５０を電気的に接続する。
【００３１】
ここで、本体１０は、一対の軸受け１０ａがシャフト５１の両端を保持することで表示ユニット５０を回転自在に保持しており、シャフト５１はシャーシ５２に接合されている。そのため、表示ユニット５０を本体１０に対して回転させると、シャフト５１も表示ユニット５０の回転動作に連動して回転する。
【００３２】
図４（ａ）に示す状態は、表示ユニット５０が図１（ａ）に示すように、本体１０の背面側に収容された状態にあるときのものである。図４（ａ）の状態から図４（ａ）中の矢印Ｒ方向に表示ユニット５０を回転させると、シャフト５１と表示ユニット側配線部５４ｃ及び巻回部５４ｂは、連動してＲ方向に回転するが、本体側配線部５４ａの巻回部５４ｂに近接する部分はシャフト５１に巻き付けられる。こうして、本体側配線部５４ａの一部がシャフト５１に巻き付けられると、本体１０に設けられる不図示のコネクタに接続されている本体側配線部５４ａの先端部がシャフト５１側に引っ張られる。そのため、本体側配線部５４ａの長さの設定には、巻回部５４ｂの回転に伴う本体側配線部５４ａの巻き付き量を考慮する必要がある。
【００３３】
図４（ｂ）に示すように、本体側配線部５４ａにおいて巻回部５４ｂに近接する部位には、湾曲部５４ｗ１が設けられている。湾曲部５４ｗ１において、本体側配線部５４ａには撓みによる反発力が生じる。この反発力は、ＦＰＣ５４に対して、両面テープ５５によって巻き付けられた状態から剥離する方向に作用する。
【００３４】
これに対して、本実施形態では、両面テープ５５を、本体側配線部５４ａ側に長さＬａだけ延出した形状に設定している（図３参照）。そのため、本体側配線部５４ａは、巻回部５４ｂと本体側配線部５４ａとの境界から長さＬａ分だけ両面テープ５５を介してシャフト５１に巻き付いている。つまり、湾曲部５４ｗ１側の両面テープ５５の端面と内角部５４ｒ１とは、長さＬａだけ離れている。そのため、仮に、湾曲部５４ｗ１に作用する反発力によって巻き付けていたＦＰＣ５４の一部が剥がれても、直ちに本体側線部５４ａと表示ユニット側配線部５４ｃとの間に形成されている幅Ｗ５の配線部がシャフト５１に対して剥がれることはない。
【００３５】
一方、ＦＰＣ５４がシャフト５１に巻き付けられた後に、表示ユニット側配線部５４ｃの先端部は、表示ユニット５０側のコネクタ５６ａに接続される。そのため、表示ユニット側配線部５４ｃの配線長さは、コネクタ５６ａへの接続を行う作業性を考慮すると、両面テープ５５における表示ユニット側配線部５４ｃ側の端面とコネクタ５６ａとを結ぶ直線距離よりも若干長めに設定することが望ましい。この場合、コネクタ５６ａへの接続作業後に、表示ユニット側配線部５４ｃには、図４（ｃ）に示すように若干の撓みが生じ、湾曲部５４ｗ２が形成される。
【００３６】
湾曲部５４ｗ２には、撓みによる反発力が生じ、この反発力は両面テープ５５によって巻き付けられた状態から剥離する方向に作用する。しかし、本実施形態では、両面テープ５５を、表示ユニット側配線部５４ｃ側に長さＬｃだけ延出した形状に設定している（図３参照）。よって、表示ユニット側配線部５４ｃは、巻回部５４ｂと表示ユニット側配線部５４ｃとの境界から長さＬｃ分だけ両面テープ５５を介してシャフト５１に巻き付いている。つまり、湾曲部５４ｗ２側の両面テープ５５の端面と内角部５４ｒ２とは、長さＬｃだけ離れている。そのため、仮に、湾曲部５４ｗ２に作用する反発力によって巻き付けていたＦＰＣ５４の一部が剥がれても、直ちに本体側線部５４ａと表示ユニット側配線部５４ｃとの間に形成されている幅Ｗ５の配線部がシャフト５１に対して剥がれることはない。
【００３７】
上記説明の通り、本実施形態によれば、表示ユニット５０を本体１０に対して回転させたときに、ＦＰＣ５４の剥離が防止されることによって、ＦＰＣ５４が本体１０と摺接して異音が発生することを防止することができる。こうして、表示ユニット５０の回転操作時における品位を向上させることができる。また、ＦＰＣ５４が本体１０の挿通部１０ｂ等に引っ掛かる等して破損することによって撮像装置１００が故障してしまうことを防止することができ、よって、撮像装置１００に対する信頼性を高めることができる。
【００３８】
＜第２実施形態＞
第２実施形態では、撮像装置１００に用いられているＦＰＣ５４の第１の変形例であるＦＰＣ６４について説明する。ＦＰＣ６４が適用される撮像装置におけるＦＰＣ６４以外の構成要素は、第１実施形態で説明した撮像装置１００におけるＦＰＣ５４以外の構成要素と同じであるため、ここでの説明を省略する。
【００３９】
図５は、ＦＰＣ５４の第１の変形例に係るＦＰＣ６４の展開図である。ＦＰＣ６４は、略コの字型の平面形状を有し、本体側配線部６４ａ、巻回部６４ｂ及び表示ユニット側配線部６４ｃから構成されている。ＦＰＣ６４の配線パターンは、本体側配線部６４ａの先端から巻回部６４ｂに形成される導体接続部６４ｄを介して表示ユニット側配線部６４ｃの先端まで延びている。
【００４０】
本体側配線部６４ａと表示ユニット側配線部６４ｃとの間には、長さＷ６の間隔が設けられている。巻回部６４ｂにおいて、本体側配線部６４ａ、表示ユニット側配線部６４ｃ及び導体接続部６４ｄによって囲まれる幅Ｗ６の領域には、カバーレイを開口させたカバーレイ開口部６４ｓが形成されている。また、巻回部６４ｂと本体側配線部６４ａとがつながっている部位の内側と、巻回部６４ｂと表示ユニット側配線部６４ｃとがつながっている部位の内側のそれぞれに、内角部６４ｒ１，６４ｒ２が形成されている。巻回部６４ｂには、略コの字型の平面形状の両面テープ６５が貼り合わされている。両面テープ６５は、第１実施形態で説明した両面テープ５５と同じであり、両面テープ６５を介したＦＰＣ６４のシャフト５１への巻き付けやＦＰＣ６４のコネクタに対する接続も第１実施形態と同様に行われるため、ここでの説明を省略する。
【００４１】
ＦＰＣ６４には、シャフト５１に巻き付けられることによって撓みによる反発力が生じ、この反発力は両面テープ６５によって巻き付けられた状態から剥離する方向に作用する。本体側配線部６４ａと表示ユニット側配線部６４ｃの間に形成された幅Ｗ６の配線部に一定以上の反発力が発生すると、幅Ｗ６の配線部がシャフト５１から剥がれてしまうおそれがある。そこで、本実施形態では、本体側配線部６４ａと表示ユニット側配線部６４ｃの間に形成された幅Ｗ６の配線部にカバーレイ開口部６４ｓを設けることで、幅Ｗ６の配線部における巻き付け端面部のＦＰＣ６４の厚さを他の配線部分よりも薄く形成している。これにより、ＦＰＣ６４に作用する剥離方向への反発力を減少させることができるため、幅Ｗ６の配線部のシャフト５１からの剥離を抑制することができる。
【００４２】
こうして、ＦＰＣ６４を用いてなる撮像装置でも、表示ユニットを本体に対して回転させたときに、ＦＰＣ６４の剥離が防止されることによって、ＦＰＣ６４が本体と摺接して異音が発生することを防止することができる。よって、表示ユニットの回転操作時における品位を向上させることができる。また、ＦＰＣ６４が本体の挿通部等に引っ掛かる等して破損することによって撮像装置が故障してしまうことを防止することができるため、撮像装置に対する信頼性を高めることができる。
【００４３】
＜第３実施形態＞
第３実施形態では、撮像装置１００に用いられているＦＰＣ５４の第２の変形例であるＦＰＣ７４について説明する。ＦＰＣ７４が適用される撮像装置におけるＦＰＣ７４以外の構成要素は、第１実施形態で説明した撮像装置１００におけるＦＰＣ５４以外の構成要素と同じであるため、ここでの説明を省略する。
【００４４】
図６は、ＦＰＣ５４の第２の変形例に係るＦＰＣ７４の展開図である。ＦＰＣ７４は、略コの字型の平面形状を有し、本体側配線部７４ａ、巻回部７４ｂ及び表示ユニット側配線部７４ｃから構成されている。ＦＰＣ７４の配線パターンは、本体側配線部７４ａの先端から巻回部７４ｂに形成される導体接続部７４ｄを介して表示ユニット側配線部７４ｃの先端まで延びている。
【００４５】
本体側配線部７４ａと表示ユニット側配線部７４ｃとの間には、長さＷ７の間隔が設けられている。巻回部７４ｂと本体側配線部７４ａとがつながっている部位の内側と、巻回部７４ｂと表示ユニット側配線部７４ｃとがつながっている部位の内側のそれぞれに、内角部７４ｒ１，７４ｒ２が形成されている。また、ＦＰＣ７４には、内角部７４ｒ１，７４ｒ２との間において導体接続部７４ｄから巻回部７４ｂと表示ユニット側配線部７４ｃとの間の空間へと突出する、幅Ｗ８を有する舌片部７４ｔが形成されている。舌片部７４ｔには、カバーレイを開口させたカバーレイ開口部７４ｓが形成されている。なお、本実施形態では、舌片部７４ｔ全体をカバーレイ開口部７４ｓとして形成しているが、カバーレイ開口部７４ｓは、舌片部７４ｔの一部に形成されていてもよい。
【００４６】
巻回部７４ｂには、両面テープ７５が貼り合わされている。両面テープ７５は、第１実施形態で説明した両面テープ５５と同様の略コの字型の形状に加えて、舌片部７４ｔをも包含する形状を成している。両面テープ７５を介したＦＰＣ７４のシャフト５１への巻き付けやＦＰＣ６４のコネクタに対する接続も第１実施形態と同様に行われるため、ここでの説明を省略する。なお、ＦＰＣ７４に形成された舌片部７４ｔも、両面テープ７５によって、シャフト５１に先に巻き付けられた巻回部７４ｂ上に貼り付けられる。
【００４７】
ＦＰＣ７４には、シャフト５１に巻き付けられることによって撓みによる反発力が生じ、この反発力は両面テープ７５によって巻き付けられた状態から剥離する方向に作用する。本体側配線部７４ａと表示ユニット側配線部７４ｃの間に形成された幅Ｗ７の配線部に一定以上の反発力が発生すると、幅Ｗ７の配線部がシャフト５１から剥がれてしまうおそれがある。
【００４８】
そこで、本実施形態では、本体側配線部５４ａと表示ユニット側配線部５４ｃの間に形成される幅Ｗ７の配線部に、両面テープ７５が貼り付けられた舌片部７４ｔを設けることで、幅Ｗ７の配線長さよりも幅が短い幅Ｗ８の貼り付け部を形成している。ＦＰＣ７４が同じ曲率半径で曲がる場合には、ＦＰＣ７４に作用する剥離方向への反発力は、外形幅が短くなるにしたがって小さくなるため、舌片部７４ｔに生じる反発力は、舌片部７４ｔが形成されていない場合に幅Ｗ７の配線部に生じる反発力よりも小さくなる。よって、舌片部７４ｔを形成することにより、幅Ｗ７の配線部のシャフト５１からの剥離を抑制することができる。
【００４９】
こうして、ＦＰＣ７４を用いてなる撮像装置でも、表示ユニットを本体に対して回転させたときに、ＦＰＣ７４の剥離が防止されることによって、ＦＰＣ７４が本体と摺接して異音が発生することを防止することができる。よって、表示ユニットの回転操作時における品位を向上させることができる。また、ＦＰＣ７４が本体の挿通部等に引っ掛かる等して破損することによって撮像装置が故障してしまうことを防止することができるため、撮像装置に対する信頼性を高めることができる。
【００５０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５１】
例えば、第１実施形態において、両面テープ５５が本体側配線部５４ａと表示ユニット側配線部５４ｃのそれぞれへ延出している部位の端面は、シャフト５１に対して平行に、つまり、シャフト５１のスラスト方向と平行にカットされている。但し、必ずしもシャフト５１に対して平行にカットする必要はなく、両面テープ５５の端面をシャフト５１に対して所定の角度をもたせてカットしてもよい。また、第２実施形態では、カバーレイ開口部６４ｓを、巻回部６４ｂにおいて、本体側配線部６４ａ、表示ユニット側配線部６４ｃ及び導体接続部６４ｄによって囲まれる幅Ｗ６の領域全体に設けたが、この領域の少なくとも一部に設けた構成としてもよい。更に、第３実施形態では、舌片部７４ｔを１カ所のみに設けたが、複数の舌片部７４ｔは、内角部７４ｒ１，７４ｒ２との間において導体接続部７４ｄの複数箇所から巻回部７４ｂと表示ユニット側配線部７４ｃとの間の空間へと突出するように設けてもよい。
【符号の説明】
【００５２】
１０    機器本体（本体） 
５０    表示ユニット 
５１    シャフト 
５４，６４，７４    フレキシブル配線基板（ＦＰＣ） 
５４ａ    本体側配線部（第１の配線部）
５４ｂ    巻回部 
５４ｃ    表示ユニット側配線部（第２の配線部）
５４ｄ，７４ｄ    導体接続部
５５，６５，７５    両面テープ（接合部材） 
６４ｓ，７４ｓ    カバーレイ開口部
７４ｔ    舌片部 
１００    撮像装置
【図１】
2016058439.tif 000003
【図２】
2016058439.tif 000004
【図３】
2016058439.tif 000005
【図４】
2016058439.tif 000006
【図５】
2016058439.tif 000007
【図６】
2016058439.tif 000008
【図７】
2016058439.tif 000009
【図８】
2016058439.tif 000010
【図９】
2016058439.tif 000011
【図１０】
2016058439.tif 000012